(57)【要約】【課題】クローゼットなどの竿に衣類掛けハンガーによりぎっしりと詰めて掛けられた衣類を取り外したり、再び元に戻したりする際にそれがスムーズに行なえる様にすることであり、衣類に折り目や皺が寄らない様に行なえる様にする事であって、これらの課題に適した固定クリップを提供すること。【解決手段】挟み部２、２′及び開きアーム３、３′を有するレバー１、１′を一対備え、各々の挟み部２、２′を互いに接近させる如く作用するバネ５を備え、かつレバー１′から延びてくる所定の長さを持った押圧アーム６とを備える様にした。【選択図】図１
2012161584.tif 000002
【特許請求の範囲】
【請求項１】
挟み部及び開きアームを有するレバーを一対備え、前記各々の挟み部を互いに接近させる如く作用するバネを備え、かつ前記レバーから延びてくる所定の長さを持った押圧アームを備えた衣類掛けハンガー固定クリップ。
【発明の詳細な説明】
【技術分野】
【０００１】  本発明は衣類等を沢山収納するクローゼットなどの竿に挟んで衣類掛けハンガーの位置を固定する衣類掛けハンガー固定クリップに関する。
【背景技術】
【０００２】  一般にクローゼットには図２（イ）に示す様に衣類等を掛けた衣類掛けハンガーが多数竿７に掛けられており、殆ど透き間がない位にぎっしりと掛けられている事が多い。この様な場合、お目当ての衣類を衣類掛けハンガーから外す為には、その隣の衣類掛けハンガーを押しのけて適当な透き間を作らなければならず、面倒である。又、外出から帰って来て衣類を元の位置に戻す場合は、透き間が狭くなっている為（衣類の弾力でかなり狭くなっている）、衣類掛けハンガーに掛けた衣類を挿入しにくく、袖などに折り目や皺が寄る事がある。これらの対策としては透き間を作る為に押しのけた衣類掛けハンガーをクリップの様なもので固定する事が考えられるが、これに適したクリップはない。
【発明の開示】
【発明が解決しようとする課題】
【０００３】  本発明はクローゼットなどの竿に衣類掛けハンガーによりぎっしりと詰めて掛けられた衣類を取り外したり、再び元に戻したりする際に、それがスムーズに行なえる様にすることであり、衣類に折り目や皺が寄らない様に行なえる様にする事であって、これらに適した固定クリップを提供することである。
【課題を解決する為の手段】
【０００４】  本発明は上記目的を達成する為、挟み部及び開きアームを有するレバーを一対備え、前記各々の挟み部を互いに接近させる如く作用するバネを備え、更に前記レバーから延びてくる所定の長さを持った押圧アームとから成る衣類掛けハンガー固定クリップを使用する様にした。
【発明の効果】
【０００５】  本発明によればクローゼットなどの竿にぎっしりと詰めて掛けられた衣類掛けハンガーを所定の位置から一方の側に押しのけて固定クリップにより固定する様にしたので、固定クリップを境として他方の側にある衣類掛けハンガーとの間には透き間ができる為、お目当ての衣類の取り出しやそれを再び元に戻す際にはスムーズに行なえる効果がある。例えば外出する時はお目当ての衣類がサーッと取り出せるし、外出から帰って来た時は元の位置にサーッと戻す事ができる。そして従来ではぎっしり詰まった衣類間に無理に戻そうとするので、衣類に折り目や皺が寄ったりするが、本発明ではその様な欠点は解消され、型崩れもしない。クローゼットの収納力も増すことになる。
【発明を実施する為の形態】
【０００６】  図１（イ）は本発明による衣類掛けハンガー固定クリップを示し、竿を挟む挟み部２、２′と、開きアーム３、３′（開く時に手の掌や指で押圧するアーム）とを有する一対のレバー１、１′と、各々の挟み部２、２′を互いに接近させる如く作用するバネ５（板バネ又はねじりコイルバネ）とから成っている。４は支点で、更に本発明ではレバー１′から延びてくる（詳しくは図では挟み部２′から延びて来ている）所定の長さを持った押圧アーム６を有している。この押圧アーム６は衣類掛けハンガーの本体の所定部（例えば図３（イ）の肩部材９）を押圧するものであり、ゴムの様な柔らかい素材を被せる様にする事が望ましい。又、挟み部２、２′も摩擦力を増すなどの目的でゴム等の高摩擦材料を被せたり、内張りする事が望ましい。さて図２（イ）においてクローゼットなどの竿７に沢山の衣類がぎっしりと掛かっている場合、お目当の衣類の隣りに手で少し透き間を作り、ここに図１（イ）の衣類掛けハンガー固定クリップを挿入して竿７に固定するのであるか、更に大きな透き間を作る為に図２（ロ）の如くこの衣類掛けハンガー固定クリップを少し開いて竿７の長さ方向に押圧アーム６を押しながら衣類掛けハンガー８を移動させ、衣類掛けハンガー８の右側にある衣類掛けハンガーを全て右方向側に押し寄せ、衣類掛けハンガー固定クリップを閉じて竿７に固定する（この場合、押圧アーム６により衣類を右側へ押し寄せるのに要した力に比し、押し寄せた衣類をそのまま戻らない様に固定しておく力の方は小さくて済む）。こうすると図示の如く大きな透き間ができる為、お目当ての衣類をスムーズに取り出せるし、外出から帰って来た時も衣類を元の位置に戻す事もスムーズに行なえ、従来の様に狭い透き間に無理に入れ込む必要がないから、衣類に折り目や皺が寄らない。この他、本発明では衣類掛けハンガー固定クリップの左側を現在の季節に着用する衣類、右側をそうではない衣類として分別しておけば、現在の季節に着用する衣類はどれでもスムーズに取り出したり、元に戻したりできる効用もある。更には図２（ロ）の如く透き間ができた分だけ収納力が増す効用もある。尚、図１（イ）において押圧アーム６は図１（ロ）の如く開きアーム３′から延びてくる様にしても良い。本発明では押圧アーム６は衣類掛けハンガーのフック下ではなく本体の所定部（例えば図３（イ）の肩部材９）を押圧するものであるから、衣類掛けハンガーに掛けた衣類をしっかりと戻らない様に固定する事ができる。
【０００７】  一般にクローゼットの内部は図２（イ）に示す様に竿７に掛けた衣類で一杯になっている事が多く、収納力を増して更に多くの衣類を収納したい要求が起ってくる。これを解決するには図３（イ）に示す様に衣紋掛け、ズボン吊りなどの衣類掛けハンガーのフック部１０（固定式又は回転式）にフック掛け部１１を備えるのが良い（フック掛け部１１は図ではフック状のものであるが、図３（ハ）の様に穴状のもの、更には図３（ホ）の如く折り曲げ状のものでも良い）。こうすれば、このフック掛け部１１に図３（ロ）の如くズボンなどを掛けた衣類掛けハンガー１２のフック部を掛ければ、竿７に掛ける場所がなくてもクローゼット内に収納する事ができ、クローゼットの収納力が増す。
尚、図３（イ）においてフック掛け部１１は図３（ニ）の如くフック部１０の先端に備える事もできる。
【０００８】  一般にズボン又はスカートハンガーは横方向に延びる掛け棒にズボン又はスカートを掛けて収納するものであり、掛け棒が細いと折り皺が付くので太くしたいところであるが、今度は図２（イ）からも明らかの様にクローゼットなどに収納する時に幅が増すので収納力が低下する。しかし図２（イ）からも明らかの様に衣類掛けハンガーには比較的長いフック下が付いており、従って各衣類掛けハンガーのフック間にはかなりのスペースがあるので、このスペース内に前記ズボン又はスカートハンガーの掛け棒が収まる構造とすれば、掛け棒を太くしてもクローゼットの収納力は低下しない。この様な考え方に従ったズボン又はスカートハンガーを図４（イ）に示す。即ち、図４（イ）の如くズボン又はスカートを掛ける掛け棒１４は２０〜３０ｍｍ位と太くしてあり（通常は１０ｍｍ位）、使用図を図４（ロ）に示す。但し、図４（ロ）からも明らかの様にズボン又はスカートハンガー１３の両脇にあるフックＦ間の間隔が狭い場合は、フックＦに押されてズボン又はスカートに皺（フックＦに押されてできた跡）が生ずる事があるので、図４（イ）の如くフック部１５（固定式又は回転式）の直下にある掛け棒１４の部分を所定長さだけ（間隔Ｈ）、その幅を狭くしてある（例えば５〜１０ｍｍ位の幅とする）。こうすると間隔Ｈの間の幅を狭くしても掛け棒１４は大部分が大いので、ズボン又はスカートハンガー１３に掛けられたズボン又はスカートに折り皺が付く事がなく、図４（ロ）においてズボン又はスカートハンガー１３に掛けられたズボン又はスカートにフックＦが接触しても間隔Ｈの間の幅が狭いので、これが一種の逃げとなり、ズボン又はスカートに皺が寄る事がない。図４（イ）において間隔Ｈに相当する部分を覆う如く垂れてくる柔らかい当て素材（布など）を備えた実施例を図４（ハ）に示す。１６はその当て素材で、これにより図４（ロ）のフックＦが強く押圧して来ても掛け棒１４に掛けられたズボン又はスカートに皺は寄らない（掛け棒１４は図１（イ）と異なり一様の太さで良い―間隔Ｈの間は幅を狭くする必要はない）。この当て素材１６は図４（ニ）の如く薄いプラスチック板とする事も可能であり、この薄いプラスチック板は上部にある軸を中心に矢印の如く回動する事ができるものである。
【０００９】一般にクローゼットは内部が狭く、沢山の衣類を収納したい要求から収納力を増強したいところである。この為には図５（イ）に示す収納力増強ハンガーが威力を発揮する。この収納力増強ハンガーは（Ａ矢視図を示す図５（ロ）も参照）クローゼットの竿７の周りに備えられる支点部材１７（力の支点の働らきをする部材）を有し、更に支点部材１７の一方の側（クローゼットに向かって手前側）には支点部材１７と一体となった掛け棒２１を備え（支点部材１７から延びてくるアーム２０の穴に掛け棒２１が挿入されて一体となっている）、支点部材１７の他方の側には支点部材１７と一体になったストッパー部材２２が備えられている。支点部材１７には突出棒１９があり、ストッパー部材２２の根本部に形成された穴２３にこの突出棒１９が嵌り込んで一体となっている。ストッパー部材２２の根本部には穴２３が例えば３個あり、突出棒１９に嵌り込む穴２３を選択する事によって掛け棒２１の高さを調整する事ができる。ストッパー部材２２はクローゼットの天井壁２４に接触する事によって掛け棒２１に掛けたズボン、スカート、マフラーなどの重量を支える事ができる。もちろん、掛け棒２１に何も掛けなくても、掛け棒２１の重量によりストッパー部材２２が天井壁２４に接触した状態は維持される。尚、突出棒１９及び穴２３はストッパー部材２２が突出棒１９の周りに勝手に回転しない様に、円形断面ではなく、長円形断面となっている。１８は外れ防止部材で、支点部材１７が竿７から外れて落下する事を防ぐものである。支点部材１７は図２（イ）において隣り合ったフックＦ間の竿７に備える様にするのである。以上の収納力増強ハンガーによば竿７の他に掛け棒２１にもズボン、スカート、マフラー、ネクタイなどを掛ける事ができるから、クローゼットの収納力が増す。掛け棒２１を２本とすれば更に収納力を増す事ができる。尚、図５（ロ）では掛け棒２１の高さを調整する為に突出棒１９に嵌り込む穴２３を２〜３個形成していたが、穴２３は１個とし、突出棒１９を２〜３個としても良い（図５（ハ）参照）。又、図５（ロ）ではストッパー部材２２は天井壁２４に接触する事によって掛け棒２１に掛けられる重量を支えていたが、図５（ニ）の如く奥壁２５に接触する事によって支える様にしても良い。
【００１０】一般に蒲団を干した後はフトン叩きを使って蒲団のほこりを落とすが、その際どうしても強く叩いてしまい、結果として内部の繊維が切れたり、蒲団の傷みが発生する。この解決策は図６に示す様にフトン叩きにフトン叩きカバー２６を被せる様にすれば良い。フトン叩きカバー２６は例えば厚手の布製で、従ってこれがクッションの役目を果し、強く叩いても蒲団を傷める事がなく、かつ布製なので蒲団の表面に付着したゴミ（毛髪など）をこすって落とす事ができる（フトン叩きは一般にはプラスチック製なので、こすってもゴミは落ちない）。尚、このフトン叩きカバー２６は装着後は紐で結んで外れない様にしている（この他、面ファスナーも考えられる）。
【００１１】図５（ロ）においてストッパー部材２２が支点部材１７から垂直に立ち上ったものに相当する実施例を図５（ホ）に示す。即ち、ストッパー部材２２′は支点部材１７から垂直に立ち上っており、突出棒１９′に嵌り込んで上下にスライド可能であり、天井壁２４に軽く接触させたらオネジ２７をねじ込んで、ストッパー部材２２′を固定する。尚、図示の如く支点部材１７の両側に掛け棒２１を備えると収納力が増す。
【００１２】一般に洗濯物は物干し竿（又はロープ）に掛けて干すが、シーツや毛布などの大型のものを掛けると他の洗濯物が余り干せなくなる。この様な問題点を解消するには図７（イ）に示す竿又はロープ上物干しハンガー２９を使用すると良い。図７（イ）において、竿又はロープ上物干しハンガー２９は物干し竿２８（又はロープ）を挟む支持クリップ部３１を有し、これは図７（ロ）に拡大して示す様に挟みアーム部３２、３２′及び開きアーム部３３、３３′（支持クリップ部３１を開く時に押圧するアーム）を有するレバー部３４、３４′を一対有し、各々の挟みアーム部３２、３２′を互いに接近させる如く作用するバネ（図示せず）を備えている。そして挟みアーム部３２′に連結する物干しハンガー部Ａが備えられている（挟みアーム部３２′に形成された連結部３６が物干しハンガー部Ａの枠に形成された穴に挿入され、連結されている）。更に、物干しハンガー部Ａが物干し竿又はロープの上方に位置する様に維持する重りとしての物干しハンガー３８のフック３７を掛けるフック掛け部３５（穴状又はフック状のもの）を支持クリップ部３１のレバー部３４′（詳しくはレバー部３４′の開きアーム部３３′）に形成してある。尚、フック掛け部３５は図７（ハ）の如くレバー部３４′の挟みアーム部３２′に形成しても良い。以上の如く支持クリップ部３１に形成されたフック掛け部３５に物干しハンガー３８が吊り下げられ、物干し竿又はロープ上にこれより小型の物干しハンガー部Ａが支持クリップ３１により支えられているから、物干しハンガー部Ａの位置は安定的に維持される。従って、物干しハンガー３８の洗濯バサミに洗濯物を吊り下げると共に、竿又はロープ上物干しハンガー２９の洗濯バサミに洗濯物（靴下、タオル、ブリーフなど小ものとする）を吊り下げられ、従来は全く使われなかった物干し竿又はロープ上の空間を利用できるので、沢山の洗濯物を干す事ができる。尚、物干し竿２８（又はロープ）が比較的低い位置にある時は図７（イ）の状態のまま洗濯物を各洗濯バサミに挟んで干せるが、手が届き難い高い位置にある場合は先ず物干しハンガー３８を取り外し、フック部３０により竿又はロープ上物干しハンガー２９を物干し竿２８（又はロープ）に吊り下げ、ここに洗濯物を吊り下げる。
次に取り外しておいた物干しハンガー３８のフック３７をフック掛け部３５に掛けて、支持クリップ部３１を手で握って物干し竿２８（又はロープ）に掛け、然る後に物干しハンガー３８に洗濯物を吊り下げる様にする。
【００１３】一般にクローゼットは内部が狭く、沢山の衣類を収納すると直ぐに一杯になり、収納力を増強したい要求が起って来る。この様な要求に応えるには図８（イ）に示す収納力増強ハンガーを使う事が考えられる。即ち、この収納力増強ハンガーは竿７の周りに備えられる支点部材３９（力の支点の様な役割を果す部材で、図ではフック状のものであるが、クリップ状のものも考えられる）に衣類掛けハンガーのフック部を掛けるフック掛け部４０（図ではフック状のものであるが、穴状のものでも良い）を形成してあり、更に支点部材３９から伸びて来る支持アーム４１に掛け部材４２を備えてある。この掛け部材４２にズボン、マフラー、ネクタイなどを掛けて収納するのである。掛け部材４２に物を掛けると、その重みにより倒れ様とするが、フック掛け部４０には、背広、コート類など重い衣類が吊り下っているので、倒れず、傾いても僅かである。
フック掛け部４０は２個として（各々に衣類を掛けた衣類掛けハンガーを掛ける）支点部材３９に作用する力を増強し、掛け部材４２を安定化しているが、フック掛け部４０を１個としても良い（更には４個としても良い）。
以上により、クローゼットの収納力を増強する事ができる。図８（ロ）に示す収納力増強ハンガーは図８（イ）における支点部材３９をフック掛け部材４３に代えたものに相当し、竿７の周りに備えられたフック掛け部材４３に上から衣類を掛けた衣類掛けハンガーを多数掛けて、その重みによる摩擦により掛け部材４２の倒れを防ぐものである（従って、フック掛け部材４３の内側は高摩擦材を内張りしておくのが良い）。
【図面の簡単な説明】
【００１４】
【図１】本発明による衣類掛けハンガー固定クリップの図である。
【図２】衣類掛けハンガー固定クリップの使用状態を示す図。
【図３】フック掛け部を有する衣類掛けハンガーの図である。
【図４】ズボン又はスカートハンガーの図。
【図５】収納力増強ハンガーの図。
【図６】フトン叩きカバーを示す図。
【図７】竿又はロープ上物干しハンガーの図。
【図８】収納力増強ハンガーの図。
【符号の説明】１・１′はレバー、２・２′は挟み部、３・３′は開きアーム、４は支点、５はバネ、６は押圧アーム、７は竿、８は衣類掛けハンガー、Ｆはフック、９は肩部材、１０はフック部、１１はフック掛け部、１２は衣類掛けハンガー、１３はズボン又はスカートハンガー、１４は掛け棒、１５はフック部、１６は当て素材、１７は支点部材、１８は外れ防止部材、１９は突出棒、２０はアーム、２１は掛け棒、２２はストッパー部材、２３は穴、２４は天井壁、２５は奥壁、１９′は突出棒、２２′はストッパー部材、２６はフトン叩きカバー、２７はオネジ、２８は物干し竿、２９は竿又はロープ上物干しハンガー、３０はフック部、３１は支持クリップ部、３２・３２′挟みアーム部、３３・３３′は開きアーム部、３４・３４′はレバー部、３５はフック掛け部、３６は連結部、３７はフック、３８は物干しハンガー、３９は支点部材、４０はフック掛け部、４１は支持アーム、４２は掛け部材、４３はフック掛け部材である。Ａは物干しハンガー部である。
【図１】
2012161584.tif 000003
【図２】
2012161584.tif 000004
【図３】
2012161584.tif 000005
【図４】
2012161584.tif 000006
【図５】
2012161584.tif 000007
【図６】
2012161584.tif 000008
【図７】
2012161584.tif 000009
【図８】
2012161584.tif 000010